(57)【要約】【課題】光学エンジンユニットとランプユニットとを一体化して部品点数の減少および小型化を図ったプロジェクタを提供する。【解決手段】光学エンジンユニット３０と、ランプユニット２０と、光学エンジンユニット３０とランプユニット２０とを一体に連結する連結部材４０とを含むプロジェクタである。本発明では、連結部材４０により光学エンジンユニット３０とランプユニット２０とが一体化されているので、小型化及び部品点数を低減させた低コストの製品として提供できる。また、光学エンジンユニット３０とランプユニット２０とが一体化されているので、公差が累積して投影画像が劣化するという事態の発生も抑制できる。【選択図】        図５
2004151584.tif 000002
【特許請求の範囲】
【請求項１】
光学エンジンユニットと、ランプユニットと、前記光学エンジンおよび前記ランプユニットとを一体に連結する連結部材と、を含むプロジェクタ。
【請求項２】
前記連結部材は、前記光学エンジンユニットと前記ランプユニットとの間に少なくとも光学部材を配置する空間を含む請求項１に記載のプロジェクタ。
【請求項３】
前記連結部材は、前記光学エンジンユニットに接続された第１の連結部材と前記ランプユニットに接続された第２の連結部材とを含み、前記第１、第２の連結部材を結合する、請求項２に記載のプロジェクタ。
【請求項４】
前記第１の連結部材は、前記光学エンジンユニットから延在する複数の支持柱を含み、前記第２の連結部材は、前記ランプニットを支持すると共に前記支持柱に接続されるランプユニット保持部材を含む請求項３に記載のプロジェクタ。
【請求項５】
光学エンジンユニットとランプユニットとを一体に連結すると共に、該連結部が熱絶縁手段を有するプロジェクタ。
【請求項６】
光変調素子を含む光学エンジンユニットと、放電ランプ及び放電ランプからの光を反射するミラーを含むランプユニットと、前記光学エンジンと前記ランプユニットとを連結する連結部材とを備え、
前記連結部材は、前記光学エンジンユニットに設けられた第１の連結部と、前記ランプニットに設けられ前記第１の連結部に結合される第２の連結部とを含み、
少なくとも前記第１または第２の連結部に前記ランプユニットからの熱を絶縁する熱絶縁手段が設けられているプロジェクタ。
【請求項７】
前記熱絶縁手段が、少なくとも第１または第２の連結部に取付けられた放熱シートである、請求項６に記載のプロジェクタ。
【請求項８】
前記熱絶縁手段は、少なくとも第１または第２の連結部の表面を鏡面処理し前記ランプユニットからの光を反射させる、請求項６または７に記載のプロジェクタ。
【請求項９】
前記熱絶縁手段は、少なくとも第１または第２の連結部を冷却するための冷却装置を含む請求項６に記載のプロジェクタ。
【請求項１０】
前記連結部材は、前記ランプユニットから前記光学エンジンユニットに光を導く光学部材を配置する空間を有し、前記空間が前記冷却装置により冷却される、請求項９に記載のプロジェクタ。
【請求項１１】
前記冷却装置は、送風ファンである、請求項９または１０に記載のプロジェクタ。
【請求項１２】
光学エンジンユニットと、ランプユニットと、前記光学エンジンと前記ランプユニットとを連結する連結部材とを含み、
前記連結部材は、前記光学エンジンユニットと前記ランプユニットとの間に形成される空間内に前記ランプユニットからの光を前記光学エンジンユニットへ伝達する光ガイド部材を含み、前記光ガイド部材には放熱部が設けられている、プロジェクタ。
【請求項１３】
前記連結部材は、第１、第２の連結部を含み、前記第１、第２の連結部には前記空間に連通する開口が形成され、前記空間内の光ガイド部材が冷却ファンによって空冷される、請求項１２に記載のプロジェクタ。
【請求項１４】
前記光ガイド部材は、ライトトンネルと前記ライトトンネルを支持するライトトンネルガイドとを含み、少なくともライトトンネルまたはライトトンネルガイドの一方に放熱シート又は放熱フィンが設けられる、請求項１３に記載のプロジェクタ。
【発明の詳細な説明】
【０００１】
【発明の属する技術分野】
本発明は、プロジェクタに関し、より詳細には光学エンジンユニットとランプユニットとを一体化させたＤＬＰ方式のプロジェクタに関する。
【０００２】
【従来の技術】
図１ないし図３は、従来のプロジェクタに格納されている光学エンジンユニット及びランプユニットについて示した図である。図１はプロジェクタのロアカバーと光学エンジンユニットとの関係を示す図、図２はプロジェクタのロアカバーとランプユニットとの関係を示す図、図３はプロジェクタのロアカバーへの光学エンジンユニット及びランプユニットの取付け示す図である。
【０００３】
従来のプロジェクタは、図１に示すようにロアカバー１０にスペースＳＰＡおよびスペースＳＰＢを有し、これらのスペースに光学エンジンユニット１００及びランプユニット１１０を取付けている。ランプユニット１１０は、図３に示すようにロアカバー１０の裏面に形成された開口を介してスペースＳＰＢにセットされる。図２は、図１のロアカバー１０を１８０度反転させた状態を示し、図３はロアカバー１０を正面から示した図である。
【０００４】
このように、従来のプロジェクタでは光学エンジンユニット１００とランプユニット１１０とが別体に形成され、これらが所定の距離をもって配置されている。光学エンジンユニット１００とランプユニット１１０とを別々に配置するのは、それぞれのユニットが個別に設計されるためであり、また、ランプを交換するときにランプユニット１１０をロアカバー１０の底部から簡単に引き出せるようにするためである。
【０００５】
ランプユニット１１０において、光源であるランプから多量の熱が放出される。光学エンジンユニット１００内にはレンズまたはミラー等の光学部財が含まれ、これらの熱の影響によりを光学部材の精度に狂いが生じると、投影画像にひずみ等を生じさせてしまう。この点からも、光学エンジンユニット１００とランプユニット１１０とが離間されて配置されている。
【０００６】
【発明が解決しようとする課題】
従来の光学エンジンユニット１００とランプユニット１１０とは別体であるので、これらの間に複数の部品が介在することになる。そのために累積公差が増加してしまい、投影画像の明るさを大きくすることができないという課題が存在する。また、２つのユニットを作製するので部品点数が増加してしまう。さらに、プロジェクタでは従来のランプ（１２０Ｗ程度）から、より光量の多いランプ（１５０Ｗ前後）を用いるようになってきている。このため、光学エンジンユニット１００とランプユニット１１０との間に設ける光学部材、例えば光通過用のライトトンネルが熱により溶解する惧れがある。
【０００７】
そこで、本発明の第１の目的は、光学エンジンユニットとランプユニットとを一体化して部品点数の減少および小型化を図ったプロジェクタを提供することである。さらに第２の目的は、一体化されたユニットにおいてランプユニットからの熱を効率よく放熱させるプロジェクタを提供することである。
【０００８】
【課題を解決するための手段】
上記第１の目的は、請求項１に記載するように、一体に連結された光学エンジンユニットとランプユニットとを含むプロジェクタにより達成できる。このようなプロジェクタであれば、光学エンジンユニットとランプユニットとが一体化されているので、小型化及び部品点数を低減させた低コストの製品として提供できる。また、光学エンジンユニットとランプユニットとを一体化したことにより、公差が累積して投影画像が劣化するという事態の発生を抑制することもできる。
【０００９】
そして前記連結部材は、前記光学エンジンユニットと前記ランプユニットとの間に少なくとも光変調部材を配置できる空間を確保して、該光学エンジンユニットとランプユニットとを連結することができる。また、前記連結部材は、前記光学エンジンユニットと前記ランプユニットとを連結する複数の支持柱よりなる形態としてもよい。この場合には、支持柱を板材で互いに接続して補強してもよい。
【００１０】
好ましくは、連結部材は、光学エンジンユニットから延在する複数の支持柱と、ランプニットを支持すると共に前記支持柱に固定されるランプユニット保持部材とから構成してもよい。この場合には、支持柱を板材で互いに接続して補強してもよい。さらに、前記ランプユニット保持部材は前記支持柱にネジ止め固定されるように形成しておけば、取付け、取外しを簡便に行うことができる。また、物理的に一体化されたユニットは、光学エンジン系とランプ系とを一体にした光学エンジン−ランプユニット系と捉えることもできる。
【００１１】
第２の目的は、光学エンジンユニットとランプユニットとを一体に連結すると共に、連結部に熱絶縁手段を設けたプロジェクタにより達成できる。本発明によると、連結部に熱絶縁手段を備えているので、一体化による小型化を図りながら、さらにランプユニットによる発熱による問題も解決できる。
【００１２】
熱絶縁手段としては、ランプユニット保持部材に貼付した放熱シート又は前記ランプユニットからの光を反射させるように処理したランプユニット保持部材の表面に形成された鏡面部を採用することができる。さらに、好ましい形態として、放熱シートに向けて冷却用の空気を送る送風手段用いてもよい。
【００１３】
前記連結部材が、前記ランプユニットから前記光学エンジンユニットに光を導く光学部材を配置できる空間を確保して、該光学エンジンユニットとランプユニットとを連結している場合には、光学部材の周部にさらに放熱フィン等を設けても良い。光学部材が、例えばライトトンネルである場合には、ライトトンネルまたはこれを支持するライトトンネルガイドに放熱シート又は放熱フィンを設けてもよい。そして、前記放熱シート及び放熱フィンが、前記送風手段からの空気流を受ける位置に配置させることで放熱特性を効果的にすることができる。
【００１４】
【発明の実施の形態】
以下、図面に基づいて本発明の好ましい実施の形態について説明する。図４から図６は、第１の発明に係る第１実施形態について示した図である。図４は、プロジェクタに格納される一体化した光学エンジンユニット及びランプユニット（以下、光学エンジン−ランプユニット１と称する）について示している。同図（Ａ）は光学エンジン−ランプユニット１を上面から見た図、同図（Ｂ）は同ユニット１を正面から見た図、同図（Ｃ）は同ユニット１の斜視図である。また、図５は上記光学エンジン−ランプユニット１の構成を示す分解斜視図である。
【００１５】
図４に示すように、光学エンジン−ランプユニット１は、ランプユニット２０と光学エンジンユニット３０とが第１の連結部材４０及び第２の連結部材４５で連結されることにより、一体化されている。第１の連結部材４０は光学エンジンユニット３０のレンズベース３２から延在させた支持柱を含む。本実施形態では、支持柱４０をレンズベース３２から４本延在させた例を示している。支持柱４０は、例えば熱伝導性の優れたマグネシウム等の金属から構成される。支持柱４０の内の２本ずつが、板材４１により接続されて補強されている。一対の板材４１は所定の距離をもって互いに対向している。各支持柱４０の端部にはネジ穴４０ＨＡ（図５参照）が形成されている。
【００１６】
第２の連結部材４５はランプユニット２０を支持し、かつ前記支持柱４０のネジ穴に接続されるランプユニット保持部材を含む。ランプユニット保持部材４５が、支持柱４０にネジ固定されることで一体化した光学エンジン−ランプユニット１が形成される。連結部材となる支持柱４０及びランプユニット保持部材４５は、所定の空間を持ってランプユニット２０と光学エンジンユニット３０とを連結する。この空間には、ランプユニット２０から発せられた光をガイドする光学部材５０が配置されている。
【００１７】
光学エンジン−ランプユニット１は、物理的に一体化されているので、プロジェクタ内の光学エンジン系とランプ系とが機能的にも一体であると見ることができる。
【００１８】
さらに、図５を参照して、光学エンジン−ランプユニット１のより詳細な構成を説明する。ランプ２１を含むランプユニット２０の前面は、一対のランプジョイントプレート２５−１、２５−２により両側から挟持され、このランプジョイントプレート２５−１、２５−２はランプユニット保持部材４５にネジ止め固定される。なお、本説明ではネジ穴の位置を明示しているが、ネジ自体の図示は省略している。
【００１９】
ランプユニット保持部材４５は、一方の背面側でランプユニット２０を保持し、他方の前面側で光学エンジンユニット３０から延在する支持柱４０に固定される。支持柱４０とランプユニット保持部材４５との間には、所定の空間が確保されているので、この空間に複数の光学部材５０を配置することができる。本実施形態では、光学部材５０として、ランプユニット保持部材４５側から順に、ライトトンネル５１、ライトトンネルガイド５２、カラーホイール５３及びコンデンサレンズユニット５４がこの空間内に配設されている。
【００２０】
本実施形態として示すプロジェクタは、光学エンジンユニット３０内に図示しないＤＭＤ（Ｄｉｇｉｔａｌ  Ｍｉｃｒｏｍｉｒｒｏｒ  Ｄｅｖｉｃｅ）を採用しており、カラーホイール５３により分別されたＲＧＢ光を時分割的に反射させ投影レンズ３１から出射される投影画像を形成する。
【００２１】
図４及び図５から明らかなように、光学エンジン−ランプユニット１は、光学エンジンユニット（系）とランプユニット（系）とが物理的に一体に形成されているので、従来のように別体であった場合と比較して、部品点数を減少させて小型化及び低コスト化を図ることができる。また、部品点数が減少するので、公差が累積することを抑制し、その結果、投影画像の明るさを改善することできる。
【００２２】
光学エンジン−ランプユニット１は図６に示すように、プロジェクタのロアカバー１０に確保した１つのスペースＳＰＣに一度の取付け作業で簡単にセットされる。よって、従来のように、２つのユニットを組付ける場合と比較して作業工程も簡素化される。また、近年、長寿命化したランプも供給されるようになってきているので、ランプ交換の頻度も高くないため、一体化した光学エンジン−ランプユニット１を採用しても不自由さはそれほどでもない。
【００２３】
上記第１の実施形態では、第１の連結部材としての支持柱４０及び第２の連結部材としてのランプユニット保持部材４５の２つで、連結部材を形成している。しかし、これに限らずランプユニット２０を支持柱４０に直接固定させるようにしてもよい。このようにすると上記支持柱４０のみで連結部材が構成される。また必ずしも支持柱４０間を板材４１で連結する必要もない。さらに、連結部材は本実施形態で示した支持柱４０のように柱状のものに限定されるものではない。例えば、光学部材を収納できる空間を備えた管状部材等でもよい。連結部材は光学エンジンユニットとランプユニットとを、空間を持って一体に連結するものであれば特にその形状を限定するものではない。さらに、連結部の固定にネジ止めを用いたが、これ以外にも、着脱可能な嵌合等による固定を行っても良い。
【００２４】
次に、図７から図１３を用いて、第２の発明に係る第２実施形態について説明する。本実施形態は光学エンジンユニット及びランプユニットが一体化されているという点で同様の構成を備えているが、連結部に熱絶縁手段を備えているという点が異なっている（以下、本第２実施形態では光学エンジン−ランプユニット２と称する）。以下の説明では、前述した第１実施形態とは異なる点を中心に説明する。よって、第１実施形態の構成と同じ箇所には、同一の符号を付し、重複説明を省略する。
【００２５】
図７は光学エンジン−ランプユニット２の構成を示す分解斜視図である。本光学エンジン−ランプユニット２では、ランプユニット２０側の連結部材がランプユニット保持部材６０と固定プレート７０とで形成されている点が前述した第１実施形態とは異なっている。ランプユニット保持部材６０と固定プレート７０とは互いにネジ止め固定されるようになっている。また、ランプユニット保持部材６０はランプユニット２０を保持する。固定プレート７０は光学エンジンユニット３０の支持柱４０に固定されるようになっている。
これらランプユニット保持部材６０及び固定プレート７０は、第１実施形態の場合のランプユニット保持部材４５を２つに分割されたものと見ることもできる。本実施形態では特に、固定プレート７０に熱絶縁または熱隔離手段を設けて、ランプユニットからの伝熱を効果的に抑制する。
【００２６】
図８は固定プレート７０を取り出して示した図である。左右にそれぞれ左側面図、右側面図を示し、中央に平面図、その下に正面図を示している。固定プレート７０は、その端部にフランジ状のネジ取付け部を有し、中央の平面部７３がランプユニット２０側にせり出すようなクランク形状を有している。平面部７３には、ランプ２１から反射された光の光軸付近の光を通過させるようにランプ集光穴７５が形成されている。このため、固定プレート７０は、ランプ２１からの光軸付近以外の光を遮光する遮光板としても機能している。
【００２７】
さらに、平面部７３は鏡面状に仕上げておくことが望ましい。このような鏡面状とすることで不要な光をできるだけ吸収することのないように熱を蓄積しない構造にしている。金属板を用いて固定プレート７０を形成した場合には、適当な研磨剤を用いて研磨処理を施すことで平面部７３を鏡面仕上げすることができる。なお、平面部７３に設けられた開口７４はランプユニット保持部材４５との固定に用いる位置決め穴であり、７８はバーリング穴である。
【００２８】
固定プレート７０の左右の側板部７７には大きな切欠き部７７−１、７７−２が形成されている。この切欠き部７７−１、７７−２は通風口として機能する。側板部７７の端部には光学エンジンユニット３０の支持柱４０のネジ穴との位置決め穴７２が形成されている。固定プレート７０の前面側（ランプユニット２０側）は上記のように、ランプユニット２０からの光軸付近の光を通過させ、それ以外の光を反射し遮光する。
【００２９】
図９（Ａ）は固定プレート７０を背面側（光学エンジンユニット３０側）から示した図であり、上段に正面図、下段に底面図を示している。また、図９（Ｂ）は固定プレート７０の全体を示す斜視図である。
【００３０】
固定プレート７０の背面側には放熱シート７６を貼付けておくことが望ましい。このようにすることでランプユニット２０から熱を効率的に放散することができる。また、切欠き部７７−１、７７−２を介して効率的に放熱を行うことができる。本実施形態の好ましい固定プレート７０としては、図９（Ｂ）に示すように、前面側には不要な光を反射する鏡面部７３が形成され、背面側には放熱シート７６が貼付けられている。このような固定プレート７０を設けたことにより、光学エンジン−ランプユニット２の連結部に放熱機能を持たせることができる。光学エンジンユニットとランプユニット間に熱的絶縁状態を保持させることができ、ユニットが一体でありながら、従来のようにユニットが離間されたときと同様の熱的絶縁を得ることができる。
【００３１】
さらに、図１０から図１２は、光学エンジン−ランプユニット２に好適なライトトンネルおよびライトトンネルガイドについて示した図である。図１０はライトトンネル５１の斜視図を示している。同図（Ａ）は光学エンジン−ランプユニット２で用いるライトトンネル５１を例示している。（Ｂ）は比較のために示した従来のライトトンネルである。図７を参照すると、ライトトンネル５１は前述した固定プレート７０の背面側に接続され、固定プレート７０ではランプ集光穴７５からの光をガイドするため、図１０（Ａ）に示すライトトンネル５１の入射面が円形に加工されている。ライトトンネル５１と固定プレート７０との間には、図９で示した放熱シート７６が挟まれた状態で配置される。
【００３２】
図１１は上記ライトトンネル５１を保持するライトトンネルガイドについて示した図である。図１１（Ａ）では一般的なライトトンネルガイド５２１の正面図、底面図、右側面図を示し、同図（Ｂ）はその斜視図を示している。また、同図（Ｃ）では光学エンジン−ランプユニット２に適用することが好ましい、ライトトンネルガイド５２の正面図、底面図、右側面図を示し、（Ｄ）はその斜視図を示している。
【００３３】
ライトトンネルガイド５２は周部にヒートシンク５２ＳＮを備えているので、この部分から熱を効率的に放散させることができる。よって、光量あるいは出力の大きなランプを用いる場合でも、ライトトンネル５１が熱によって溶融することを防止することができる。
【００３４】
図１２は他の好ましい形態のライトトンネルガイド５２について示した図である。図１２では、中央に正面図、上下に平面図、底面図を、左右に側面図を示している。このライトトンネルガイド５２はライトトンネル５１を保持する胴部の回りに放熱シート５２ＳＣが貼付けられている。これによって、図１１で示したライトトンネルガイド５２と同様に、この部分からの熱を効率的に放散させることができる。
【００３５】
図１３は、より好ましい形態の光学エンジン−ランプユニット２について示している。同図（Ａ）は光学エンジン−ランプユニット２を上面から見た図、同図（Ｂ）は同ユニット２を正面から見た図、同図（Ｃ）は同ユニット２の斜視図である。
【００３６】
図１３に示す光学エンジン−ランプユニット２では、固定プレート７０の側板部７７に設けた切欠き部７７−１の近傍にファン８０を設けて冷却用の空気流を吹き込むようになっている。
【００３７】
ファン８０からの空気流が連結部の空間内、特に固定プレート７０、ライトトンネル５１、放熱シート７６を冷却することで放熱効果を向上させることがでっきる。また、ライトトンネルガイド５２も、前述したヒートシンク５２ＳＮや放熱シート５２ＳＣを備えている場合には、放熱効率をより向上させることができる。なお、ファン８０は空気流を吸引する形態であっても、同様の冷却効果を得ることができる。
【００３８】
以上説明したように、第２実施形態における光学エンジン−ランプユニット２は、連結部分に冷却手段を備えている。よって、従来２つであったユニットを一体化してコンパクト化すると共に、ランプユニットのランプから発する熱の問題も解決できる。第２実施形態では固定プレート７０に熱絶縁手段となる鏡面部や放熱シートを設けたが、これは一例であり連結部分の他の場所に設けてもよい。
【００３９】
また、さらに好ましい形態として、ライトトンネルガイド５２に放熱手段としてヒートシンク５２ＳＮや放熱シート５２ＳＣを設ける例を説明したが、これらは省略することも可能である。
【００４０】
また、第２の実施形態では平面部７３を鏡面部とし、かつ放熱シート７６を設けたがいずれか一方を採用するようにしてもよい。また、上記実施形態ではＤＭＤを用いるプロジェクタを例に説明したが、従来一般的な液晶を用いたプロジェクタにも本発明を同様に適用できる。液晶プロジェクタに含まれる光変調部材は異なるが、それ以外の光学系およびランプユニット系に本発明を適用できることは言うまでもない。
【００４１】
以上本発明の好ましい実施例について詳述したが、本発明は係る特定の実施形態に限定されるものではなく、特許請求の範囲に記載された本発明の要旨の範囲内において、種々の変形・変更が可能である。
【００４２】
【発明の効果】
以上詳述したところから明らかなように、本発明によれば、従来のように光学エンジンユニットとランプユニットとが別体であった場合と比較して、部品点数を減少させて小型化及び低コスト化を図ることができる。また、部品点数が減少するので、公差が累積して画像が劣化するという従来の問題を解消できる。さらに本発明に係る一体化された光学エンジン−ランプユニットは、連結部分に熱絶縁手段を備えることで、ランプユニットのランプから発する熱の問題も同時に解決することができる。
【図面の簡単な説明】
【図１】従来のプロジェクタのロアカバーと光学エンジンユニットとの関係を示す図である。
【図２】従来のプロジェクタのロアカバーとランプユニットとの関係を示す図である。
【図３】従来のプロジェクタのロアカバーへの光学エンジンユニット及びランプユニットの取付け状態を示す図である。
【図４】第１実施形態に係るプロジェクタに格納される一体化した光学エンジンユニット及びランプユニットについて示した図であり、同図（Ａ）は光学エンジン−ランプユニット１を上面から見た図、同図（Ｂ）は同ユニットを正面から見た図、同図（Ｃ）は同ユニットの斜視図である。
【図５】図４に示す一体化した光学エンジンユニット及びランプユニットの構成を示す分解斜視図である。
【図６】図４に示す一体化した光学エンジンユニット及びランプユニットをプロジェクタのロアカバーに取付けする様子を示す図である。
【図７】第２実施形態に係るプロジェクタに格納される光学エンジン−ランプユニットの構成を示す分解斜視図である。
【図８】第２実施形態で用いる固定プレートを取り出して示した図である。
【図９】図９（Ａ）は固定プレートを背面側から示した図であり、上段に正面図、下段に底面図を示している。図９（Ｂ）は固定プレートの全体を示す斜視図である。
【図１０】ライトトンネルの斜視図である。同図（Ａ）は第２実施形態の光学エンジン−ランプユニットで用いるライトトンネル、同図（Ｂ）は比較のために示した従来のライトトンネルである。
【図１１】ライトトンネルを保持する好ましいライトトンネルガイドについて示した図であり、同図（Ａ）はライトトンネルガイドの正面図、底面図、右側面図、同図（Ｂ）はその斜視図、同図（Ｃ）は光学エンジン−ランプユニットに適用されるライトトンネルガイドの正面図、底面図、右側面図、同図（Ｄ）はその斜視図を示す。
【図１２】他のライトトンネルガイドについて示す図である。
【図１３】ファンを備えた好ましい形態の光学エンジン−ランプユニットについて示す図である。
【符号の説明】
１、２        光学エンジン−ランプユニット
１０          ロアカバー
２０          ランプユニット
３０          光学エンジンユニット
４０          支持柱（連結部材）
４１          板材
４５          ランプユニット保持部材（連結部材）
５０          光変調部材
５１          ライトトンネル
５２          ライトトンネルガイド
６０          ランプユニット保持部材（連結部材）
７０          固定プレート（連結部材）
７３          鏡面部（冷却手段）
７６          放熱シート（冷却手段）
８０          ファン（送風手段）
【図１】
2004151584.tif 000003
【図２】
2004151584.tif 000004
【図３】
2004151584.tif 000005
【図４】
2004151584.tif 000006
【図５】
2004151584.tif 000007
【図６】
2004151584.tif 000008
【図７】
2004151584.tif 000009
【図８】
2004151584.tif 000010
【図９】
2004151584.tif 000011
【図１０】
2004151584.tif 000012
【図１１】
2004151584.tif 000013
【図１２】
2004151584.tif 000014
【図１３】
2004151584.tif 000015